(57)【要約】      （修正有）【課題】温浴施設やプール等で、多人数が使用しても長期にわたり優れたドライ感を維持し、しかもマットの交換回数の削減や洗濯/乾燥回数削減による経費削減、ＣＯ２の排出を抑えるなど地球環境にやさしい足拭きマットを提供する。【解決手段】一定間隔ごとに凸状部が複数形成されるように織り込んでブロック列を構成した吸水機能を有する上層マット１０と、吸水性を有する不織布の経糸と、合成繊維撚糸の緯糸により織られた布帛で貯水機能を有する中間層マット２０と、複数の貫通孔を有する単発泡樹脂シートで、クッション性と乾燥機能を有する下層マット３０の三層構造の構成とした。【選択図】図１
2019201697.tif 000002
【特許請求の範囲】
【請求項１】
吸水性と弾性を有する芯材を、抗菌加工が施された合成繊維撚糸の円筒状編物に内装させた複数の太糸が、抗菌加工が施された合成繊維撚糸により平織り、綾織り又は朱子織りされた布帛の一部の糸を構成し、前記太糸を、直交する複数の糸で一定間隔ごとに凸状部が複数形成されるように織り込みブロック列が構成された上層マットと、
吸水性を有するシート状の不織布を重ねて線幅を構成した糸と、抗菌加工を施した合成繊維撚糸とにより、平織り、綾織り又は朱子織りされた布帛の中間層マットと、
厚さ方向に弾力性を有し、表面から裏面にかけて複数の貫通孔を有する単発泡樹脂シートの下層マットと、を具備し、
前記下層マット上に重ねられた少なくとも1層の前記中間層マットと、前記中間層マット上に重ねられた前記上層マットと、で組み合わされた構造の足拭きマット
【請求項２】
前記芯材は、シート状の綿不織布、レーヨン不織布又は合成繊維不織布を、折り畳み重ね又は略円柱状に丸めて作製されたものである請求項１に記載の足拭きマット
【請求項３】
前記上層マットにおいて、前記太糸が、平織り、綾織り又は朱子織りされた布帛部に、一定間隔ごとに織り込み配置された請求項１又は２に記載の足拭きマット
【発明の詳細な説明】
【技術分野】
【０００１】
本発明は、足が濡れる施設で使用される足拭きマットに関し、特に、温浴施設やプール等多人数が足拭きをする様な場所で、長期にわたり優れたドライ感を維持出来るようにした足拭きマットに関する。
【背景技術】
【０００２】
従来、風呂場の上がり口や洗面所などの水回り施設において使用される足拭きマットは、吸水性の良好な素材で作製した分厚いタオルやパイル地の織物が一般的であり、少人数の家庭用としては、肌水や落水を吸収するには十分であった。
【０００３】
一方、一般的に湯上りでは約２０ｃｃ／1人〜約５０ｃｃ／１人の肌水や落水があることが知られており、温浴施設やプール等多人数で使用する場合には、肌水や落水を吸収する機能としては十分とは言えず、継続使用をしていくと、表面に水分が滲出し足裏のべたつき感や不快感が発生していた。この問題を解決するため、特許文献１、特許文献２で各種マットが提案されている。
【０００４】
特許文献１では、表面に合成繊維からなるラッセル、トリコット編布、ドビー織布、亀甲、ハニカム構造体などの立体メッシュ布で構成した非保水層と、その下に吸水性を有する不織布や織布等の水拡散層と吸水保水層、最下層に撥水性及び通気性を備えた遮水層、とを順に配置した三層構造で構成されるマットが提案されている。
また、特許文献２では、不織布やドライメッシュシート等の透水シートからなる第1層、高吸収ポリマーの不織布や綿状物等の高吸収性を有する第２層、底面にクッション性を有する第3層で構成する三層構造のマットが提案されている。
【先行技術文献】
【特許文献】
【０００５】
【特許文献１】特開２０００−３１６７０３号公報
【特許文献２】実開平６−１３６７０号公報
【発明の概要】
【発明が解決しようとする課題】
【０００６】
しかしながら、特許文献１においては、表面は立体メッシュ布となっており、布の編みや織りで構成されている。このため、立体部の強度が不十分で、足圧がかかると立体部が潰れ易く接触面積が増大する。この結果、足圧で吸水保水層の水分が表面に滲出し、べたつきや肌触りが悪くなり易いという問題があった。
【０００７】
また、吸水保水層は不織布等の単体物で構成されており、非保水層と遮水層に挟まれて通気性が悪く、熱気が籠もり易い傾向にある。この様な場合、雑菌の繁殖が発生するため抗菌処理が必要となる。抗菌処理は吹き付けや練り込みの手段でしか付与できないため、洗濯耐久性に劣り、乾燥性も悪いという問題になる。さらに、マット交換時に折り畳むと、折り曲げ部から保水した水分が滲出し、床を濡らしたり、交換作業者を濡らしたりする問題もあった。また、クッション性が十分とは言えなかった。
【０００８】
特許文献２においては、第２層が高分子ポリマーの不織布の場合、一度吸収した水分はゲル化するため使い捨てとなり経済的でないという問題があった。また、第２層がゲル化しない吸収体の場合、第1層の透水シートは薄いため、足圧で吸水した水分が表面に滲出してきてしまい、べたつきや肌触りが悪くなるなどの問題があった。
【０００９】
本発明は、上記の問題に鑑みてなされたものであり、本発明の目的は、温浴施設やプール等多人数が使用しても長期にわたり優れたドライ感を維持し、しかもマットの交換回数の削減や洗濯/乾燥回数の削減による経費削減、ＣＯ２の排出を抑えるなど、地球環境にやさしい足拭きマットを提供することを目的とする。
【課題を解決するための手段】
【００１０】
上記の目的を達成するための発明１では、吸水性と弾性を有する芯材を、抗菌加工が施された合成繊維撚糸の円筒状編物に内装させた複数の太糸が、抗菌加工が施された合成繊維撚糸により平織り、綾織り又は朱子織りされた布帛の一部の糸を構成し、前述の太糸を、直交する複数の糸で一定間隔ごとに凸状部が複数形成されるように織り込みブロック列が構成された吸水機能を有する上層マットと、
吸水性を有するシート状の不織布を重ねて線幅を構成した糸と、抗菌加工を施した合成繊維撚糸とにより、平織り、綾織り又は朱子織りされた布帛で、貯水機能を有する中間層マットと、
厚さ方向に弾力性を有し、表面から裏面にかけて複数の貫通孔を有する単発泡樹脂シートで、クッション性と乾燥機能を有する下層マット、を重ねて三層構造の構成とした足拭きマットを提供するものである。
【発明の効果】
【００１１】
上述の発明１によれば、上層マットは抗菌加工を施した合成繊維撚糸織物で作製された布帛に、略円柱状の太糸を織り込む事で、複数の凸状の突起部を有するブロック列を形成することにより、足裏との接触面積を少なくし、肌水や落水を素早く吸水することができ、中間層マットは保水性の高い素材を経糸とし織ったことにより、上層マットで吸水した水分を素早く受け渡して吸収し、拡散貯水する構造となり、上層マットの表面は優れたドライ感と肌触り感が得られる効果がある。
【００１２】
また、中間層マットは織物とすることで、通気性を良くするとともに、下層マットはクッション性を備えた単発泡樹脂の表裏に貫通する貫通孔を設け、足圧によるポンプ効果により中間層マットの水分を下方に吸引する。これとともに、足圧により空気を中間層マットに吹き付けることにより、乾燥を促進させることができ、上層マットの表面は長期にわたり優れたドライ感を維持できる効果がある。
【００１３】
上述の結果、温浴施設やプール等で多人数が使用しても、その乾燥性から長期にわたり優れたドライ感と肌触り感が維持できる効果が有る。このことから、マットの交換回数や洗濯/乾燥回数を大幅に削減することができ、経費削減、ＣＯ２の排出を抑えるなど、地球環境にやさしい足拭きマットを提供することができる。
【００１４】
さらに、吸水した貯水層の中間層マットのみを交換することで、洗濯/乾燥の回数をさらに削減でき、経費削減、ＣＯ２の排出を抑える効果も一層向上する。また、交換する場合には、中間層マットは織物であるため、吸水した不織布の経糸の軸方向に平行に折り畳むことで、折り曲げ部での水分の滲出も発生しないため、作業性に優れ扱いやすい足拭きマットを提供することができる。
（課題を解決するためのその他の手段）
【００１５】
上述の発明１における下位概念の発明２は、上層マットにおいて、吸水性と弾性を有する芯材は、シート状の綿不織布、レーヨン不織布又は合成繊維不織布を、折り畳み重ね又は略円柱状に丸めて作製されたものである。
発明２によれば、不織布の吸水性と繊維の毛細管現象により、一層効率よく吸水することが出来る上、ブロック列自体の凸状の高さを増加させて潰れを防ぎ、クッション性も向上させることが出来、優れたドライ感と肌触り感が一層向上する。
【００１６】
発明１、発明２における下位概念の発明３は、上層マットにおいて、複数の凸状部を有するブロック列を並べて配置した領域と、平織り、綾織り又は朱子織りした平面状の布帛部を、交互に配置したことである。
発明３によれば、上述のブロック列が間隔をあけて配置された構造であり、足裏との接触面積がさらに一層減ることにより、優れたドライ感と肌触り感が一層向上する。
【００１７】
発明３における下位概念の発明４は、上層マットにおいて、平織り、綾織り又は朱子織りした平面状の布帛部が二重織りで織られていることである。
発明４によれば、二重織りにしたことにより、布帛部は二重構造となり空間ができ、さらに一層落水の吸水性能が向上する。
【００１８】
上述の発明１における下位概念の発明５は、中間層マットにおいて、平織り、綾織り又は朱子織りした布帛部がドビー織りで織られていることである。
発明５によれば、上層マット裏面と接触する中間層マットの不織布表面を立体的に形成することができ、表面積が大きくなることで、上層マットからの水分吸収を素早く吸収し、拡散貯水する性能が向上することにより、上層マット表面を常に乾燥した良い状態に保つことが出来る。
【００１９】
上述の発明１における下位概念の発明６は、上層マット又は中間層マット又はその両方のマットの、抗菌加工を施した合成繊維撚糸の経糸、緯糸で織った布帛部の一部に、抗菌性能の高い純銀糸を一緒に織り込んだことである。
発明６によれば、上層マットは足裏と直接接触する部分であり、抗菌加工を施した合成繊維撚糸と併せて、雑菌の繁殖を抑えるとともに、熱が籠もりやすい中間層マットに織り込むことで、雑菌の繁殖を抑える効果が向上する。さらに、純銀糸は洗濯を繰り返してもその抗菌効果は低下しないため、長期にわたり抗菌効果を維持できる。
【００２０】
上述の発明１、発明３における下位概念の発明７は、上層マットのブロック列の軸方向と、中間層マットの不織布で作製した経糸の軸方向を、同一方向となるように配置して構成した三層構造のマットである。
発明７によれば、同一方向とすることにより、ブロック列の下面と接触する中間層マットの不織布との接触面積が増え、太糸の一時保水して広がった水分を、中間層マットの不織布で効率よく吸水し易くなり、べたつき、肌触り感触が悪くなる問題が無く一層優れたドライ感が維持できる。
【図面の簡単な説明】
【００２１】
【図１】本発明の第1の実施の形態を示す全体の分解斜視図である。
【図２】本発明の第1の実施の形態を示す上層マットの部分詳細図である。
【図３】本発明の第1の実施の形態を示す上層マットの布帛部の部分詳細図である。
【図４】本発明の第1の実施の形態を示す上層マットの太糸の斜視図である。
【図５】図４におけるX-X断面の矢視図である。
【図６】本発明の第1の実施の形態を示す上層マットの太糸を織り込む状態を示した模式図である。
【図７】本発明の第1の実施の形態を示す上層マットの実際の部分図面の代用写真である。
【図８】本発明の第1の実施の形態を示す中間層マットの部分詳細図である。
【図９】本発明の第1の実施の形態を示す中間層マットの実際の部分図面の代用写真である。
【図１０】本発明の第1の実施の形態を示す下層マットの斜視図である。
【図１１】図１０におけるY-Y断面の部分矢視図である。
【図１２】本発明の第２の実施の形態を示す上層マットの部分詳細図である。
【図１３】本発明の第２の実施の形態を示す上層マットの実際の部分図面の代用写真である。
【図１４】本発明の第３の実施の形態を示す上層マットの二重織り布帛部の実際の部分図面の代用写真である。
【図１５】本発明の第４の実施の形態を示す中間層マットのドビー織り布帛部の実際の部分図面の代用写真である。
【図１６】本発明の第５の実施の形態を示す上層マットと中間層マットの配置関係を示す一部分の分解斜視図である。
【発明を実施するための形態】
【００２２】
以下、本発明の実施の形態について、図１〜図１６に基づいて詳細に説明する。
（発明を実施するための第1の形態）
【００２３】
本発明を実施するための第１の形態は、図１〜図１１で、その構成と作用を説明する。
まず、図１は本発明の足拭きマット１の全体の構成であり、上層マット１０、中間層マット２０、下層マット３０から構成されている三層構造からなっている。
上層マット１０の構成は、図２に示すように、抗菌加工を施した撥水性のアクリル繊維、ポリエステル繊維、ナイロン繊維等の合成繊維撚糸で織られた織物の布帛１１に対して、以降で別途説明する略円柱状の太糸１２を、同じく抗菌加工を施した撥水性の合成繊維撚糸１４で、布帛１１の経糸の一部として織り込んだ状態である。
なお、図２は太糸１２を織り込んだ後の形態を示しており、複数の凸状部が連なったブロック列１３が形成されている。
以降の説明で、太糸１２とブロック列１３は図面を含め符号を分けているが、ブロック列１３は太糸１２の形態が変わっただけのものであり、同じ物を指す。
【００２４】
前述の布帛１１は図３に示すように、抗菌加工を施した撥水性のアクリル繊維、ポリエステル繊維、ナイロン繊維等の合成繊維撚糸である経糸１５に対して、同様に抗菌加工を施した撥水性の合成繊維撚糸１６の緯糸と、一部に銀イオンＡｇ＋による強い抗菌効果を有する純銀糸１７をもって平織りで織り込んでいる。図３では経糸、緯糸は各２本ずつ使用した平織りの図で説明しているが、糸の構成は何本でも構わないし、織り方も平織り以外に綾織りや朱子織りで織り込んでも構わない。
なお、純銀糸１７は、硫化による黒ずみ対策や装飾性の関係から、株式会社ミューファン製のミューファン&reg;（登録商標）を用いることが好ましい。
【００２５】
次に、前述の太糸１２の構成について図４、図５を用いて説明する。
太糸１２は、布帛１１の経糸の一部として等間隔に織り込まれ、その構造は図５に示すように、抗菌加工を施した撥水性のアクリル繊維、ポリエステル繊維、ナイロン繊維等の合成繊維撚糸で編込んで作製した略円筒形の筒体１２ａに対して、綿不織布やレーヨン不織布、合成繊維不織布などのシート状の不織布を、折り畳み重ねたり略円柱状に丸めたりして作製した吸水性と弾性を有する芯材１２ｂを、筒体１２ａ内に配設して構成している。
配設する手段としては、例えば芯材１２ｂを中心に据えて輪編みで筒体１２ａを編むことで作製できる。
【００２６】
また、芯材１２ｂは弾性体であれば、ポリエチレン発泡樹脂やゴムの棒状物等でも複数の凸状部を有するブロック列１３を形成することは出来るが、吸水性から不織布を用いることが好ましい。
なお、この不織布は練り込みや吹き付けなどによる抗菌加工を施したものであっても構わない。
【００２７】
上記略円柱状の太糸１２の布帛１１への取り付けは、図６に示すように、太糸１２を経糸として、直交する合成繊維撚糸の緯糸１４で、太糸１２の軸方向のV方向に一定の間隔Ｐあけた状態で平織りにて織り込んで取り付けることになる。すなわち、合成繊維撚糸の緯糸１４は図３における緯糸１６の一部であり同じ物になる。
【００２８】
このとき、緯糸１４で織り込むことにより、太糸１２は緯糸１４と係合している部分が締め上がり、筒体１２ａが編物で伸縮することから、図６に示すように、その他の部分が上方に凸状に膨らんで連なった形状のブロック列１３となる。
実際の織り込んだ図面の代用写真が図７であり、太糸１２が布帛部の緯糸１６により一定の間隔Ｐで織り込まれ、締め上げられて上方に凸状部を形成してブロック列１３が形成されていることが分かる。
なお、緯糸１６と同様に、純銀糸１７が一緒に織り込まれている。
【００２９】
中間層マット２０の構成について、図８、図９を用いて説明する。
経糸２１は、吸水性を有する綿不織布、レーヨン不織布又は合成繊維不織布を、折り畳み重ね又は略円柱状に丸めて押し潰し、その断面は図中では線幅Ｂの略長方形断面を形成し、軸方向Ｗに伸びて作製されている。
なお、この不織布は前述と同様に抗菌加工を施したものであっても構わない。
【００３０】
中間層マット２０は、複数の経糸２１に対して、抗菌加工を施した撥水性のアクリル繊維、ポリエステル繊維、ナイロン繊維等の合成繊維撚糸の緯糸２２で、平織りで織り込んで作製している。
このとき、緯糸２２と一緒に、銀イオンＡｇ＋による強い抗菌効果を有する純銀糸２３も一部に織り込んでいる。当然ではあるが、織り方は平織りだけでなく綾織り、朱子織りであっても構わない。なお、経糸２１は特に吸水性の高い綿不織布又はレーヨン不織布が好んで用いられる。
実際の織り込んだ図面の代用写真を図９に示す。
【００３１】
下層マット３０の構成について、図１０、図１１を用いて説明する。
下層マット３０は、厚さ方向に弾力性を有し、表面から裏面にかけて複数の貫通孔３０ａを有するポリエチレン樹脂、ポリプロピレン樹脂等の単発泡樹脂シートであり、６〜１５ｍｍ程度の一定の厚さを有することからクッション性の高いシートである。
なお、その底面にはエチレン酢酸共重合樹脂のホットメルト接着剤やシリコーンゴムによるコート層等により、すべり止め加工３０ｂが施されるか、図示せぬが別体のすべり止め部品が取り付けられている。
【００３２】
次に、上記で構成を説明した足拭きマット１の作用について説明する。
まず、利用者が浴室からあがり上層マット１０上に乗ると、足裏はブロック列１３の凸状部に接触し筒体１２ａの表面の吸水作用で肌水が吸収される。一方で、落水もブロック列１３や布帛１１上に落下し、表面の筒体１２ａ、合成繊維撚糸１５、１６やその織り空間に吸水される。
ブロック列１３表面の筒体１２ａに吸収された水分は、内部の吸水性を有する不織布等の芯材１２ｂに素早く吸水され、さらにその軸方向Ｖに広がって一時的に保水される。
【００３３】
ブロック列１３内に保水された水分や布帛１１に吸水された水分は、利用者の足圧により下方の中間層マット２０に押しつけられ、上層マット１０の底面と中間層マット２０の不織布の経糸２１が圧力で接触しているため、上層マット１０の水分は中間層マット２０に吸い取られて移行する。
特に、足拭きマット１が多人数で使用される場合には、次の利用者がマット上に乗ると、この作用が継続される。このとき、ブロック列１３の芯材１２ｂに一時保水された水分も、ある一定量を超えると足圧で滲出し中間層マット２０に移行し、その軸方向Ｗの方向に拡散されて貯水されていく。
【００３４】
一方、下層マット３０の作用は、特開２０１７−０８６８５６号公報に詳細に記載されている下敷シートと同様であるが、簡単に説明すると、上層マット１０に利用者が乗るときの足圧で、下層マット３０は単発泡樹脂シートで作製されているため、部分的に厚さ方向に潰れて弾性収縮し、その位置の貫通孔３０ａはその体積も所定量縮小する。このとき、貫通孔３０ａ内の空気は圧縮され上方の中間層マット２０に向けて吹き付けられる。
【００３５】
さらに、上層マット１０から利用者が降りるときには、下層マット３０の厚さが復元するのに伴い、その位置の貫通孔３０ａの体積が復元することで、復元量に応じた水分が中間層マット２０の内部から貫通孔３０ａ内に吸引されて下方へ移動していく。この結果、中間層マット２０は、下層マット３０への水分移行と、空気の吹き付け作用により、通気性の良好な織物であることから一層乾燥が進んでいく。
【００３６】
（発明を実施するための第２の形態）
本発明を実施するための第２の形態は、図１２，図１３で、その構成と作用を説明する。
【００３７】
上層マット５０は、抗菌加工を施した撥水性の合成繊維撚糸で織られた織物の布帛１１に対して、前述のブロック列１３が複数の塊として配置されている。例えば、図１２では５本の塊の単位で、ブロック列群１３Ａ、１３Ｂが一定の間隔Ｑで配置され織り込まれている。図１３は実際の上層マット５０の図面の代用写真であり、この場合は３本のブロック列１３がブロック列群１３Ａ、１３Ｂ、１３Ｃを構成して布帛１１に織り込まれている。
また、ブロック列１３の軸方向Ｖの布帛１１の端部は、経糸のほつれ防止の端部加工処理１１ａが施されている。なお、このほつれ防止処理１１ａは上層マット１０の場合も同様である。
【００３８】
上層マット５０の形態では、各ブロック列群１３Ａ、１３Ｂ、１３Ｃの間は、ブロック列１３が配設されていない部分で、布帛１１の平坦部１１ｂが露出した構造であり、平坦部１１ｂはブロック列１３の凸部より一段下がった平面を形成しており、利用者が乗った場合に足裏の接触は各ブロック列群１３Ａ、１３Ｂ、１３Ｃ等のみになり、一層接触面積が少なくなり接触圧が高まる。
【００３９】
なお、図１２、図１３において、各ブロック列群１３Ａ、１３Ｂの間隔Ｑとブロック列１３の凸部の高さ、布帛１１の平坦部１１ｂの幅Ｒは、利用者がブロック列１３上に確実に乗れるためには、Ｑは７０〜１００ｍｍ程度、凸部の高さは６〜１０ｍｍ程度、Ｒは２０〜５０ｍｍ程度が好ましい。また、上記説明ではブロック列１３は群をなして構成されているが、例えばブロック列１３が単独で、２０〜３０ｍｍ程度の等間隔で複数配置され、各ブロック列１３の間から布帛１１の一段下がった平坦部１１ｂが露出した構造となっていても構わない。
【００４０】
（発明を実施するための第３の形態）
本発明を実施するための第３の形態は、図１４で、上記上層マット５０の平坦部１１ｂが二重織りで作製されている構造である。
【００４１】
図３に示したように、布帛１１の経糸１５と緯糸１６が各２本以上で織られている場合には、ブロック列群１３Ａ−１３Ｂ間や１３Ｂ−１３Ｃ間の平坦部１１ｂは、上面部と下面部に分かれて二重織りで織ることが出来る。
図１４では、ブロック列１３の間の二重織りの上面部１１ｅは、経糸１５、緯糸１６が共に１本単位で織られている。
なお、図示せぬが、下面部１１ｆも同様になっている。この上面部１１ｅと下面部１１ｆの間の空間に空気層が構成され一層多くの水分を吸収できる。
【００４２】
（発明を実施するための第４の形態）
本発明を実施するための第４の形態は、図１５で、中間層マット６０がドビー織りで織られている構造である。
【００４３】
中間層マット６０は、吸水性を有する不織布を折り畳み重ね又は略円柱状に丸めて押し潰した経糸６１と、抗菌加工を施した合成繊維撚糸の緯糸２２にてドビー織りで織ってあることから、経糸６１は立体的に膨らみ、表面積が非常に大きくなって織られる。この結果、上層マット１０や５０の底面から水分を吸収しやすくなり、さらに一層貯水機能が向上する。また、同時に全体的に厚くなることによりさらにクッション性も向上する。
【００４４】
（発明を実施するための第５の形態）
一般に、温浴施設やプール等の足拭きマット１は多人数で使用できるように、横長で大きく作られているが、実際の使われ方は横幅が７０ｃｍ〜９０ｃｍ程度の部分に集中することが多い。そのため、中間層マットに水分を効率よく吸収するためには、上述の範囲を超えて素早く使用頻度の少ない横方向に水分を拡散する必要がある。
本発明を実施するための第５の形態は、図１６で、上層マット５０のブロック列１３の軸方向Ｖと中間層マット２０の不織布の経糸２１の軸方向Ｗの位置関係を表している。
【００４５】
上記の結果から、足拭きマット１は、上層マット５０のブロック列１３の軸方向Ｖが、足８０の向く方向と直交する方向、すなわち軸方向Ｖが横を向く方向に設置されている。
また、中間層マット２０は、不織布の経糸２１の軸方向Ｗが、上層マット５０のブロック列１３の軸方向Ｖの方向と同一方向に置かれている。
この様に配置することで、ブロック列１３に吸水された水分や布帛１１に落水された水分が、利用者が通過しない方向に向かって拡散するようになっている。
【００４６】
以上、各発明を実施の形態で詳細に説明してきたが、ここで説明した手段だけが本発明ではなく、例えば、中間層マット２０を複数枚重ねて多重構造としたり、大きな中間層マット1枚を経糸２１の軸方向に対して平行に何回かに折りたたんで配設したりして、貯水量を増やす等も可能である。この他、各種構造や材料、織り方及び構成を組み合わせて実施することも可能であり、本発明の目的とするところから逸脱しないものである。
【符号の説明】
【００４７】
１        ：足拭きマット
１０、５０ ：上層マット
１１      ：上層マットの布帛
１１ｂ    ：平坦部                            
１２      ：太糸
１２ａ    ：筒体
１２ｂ    ：芯材
１３      ：ブロック列
１４、１６ ：布帛の緯糸
１５      ：布帛の経糸
１７、２３ ：純銀糸
２０、６０ ：中間層マット
２１、６１ ：中間層マットの経糸
２２      ：中間層マットの緯糸
３０      ：下層マット
３０ａ    ：下層マットの貫通孔
８０      ：足          
【図１】
2019201697.tif 000003
【図２】
2019201697.tif 000004
【図３】
2019201697.tif 000005
【図４】
2019201697.tif 000006
【図５】
2019201697.tif 000007
【図６】
2019201697.tif 000008
【図７】
2019201697.tif 000009
【図８】
2019201697.tif 000010
【図９】
2019201697.tif 000011
【図１０】
2019201697.tif 000012
【図１１】
2019201697.tif 000013
【図１２】
2019201697.tif 000014
【図１３】
2019201697.tif 000015
【図１４】
2019201697.tif 000016
【図１５】
2019201697.tif 000017
【図１６】
2019201697.tif 000018